(57)【要約】【課題】  ガス偏流を抑制し、安定した脱硫性能を得ることのできるガス処理塔を提供することを目的とする。【解決手段】  ガス処理塔１０において、塔本体１１内に側方から未処理ガスを導入する導入口１４の近傍において、ガスの流れの向きが上方へと変わる部分に、複数のガイド板２０を、間隔を隔てて全体として斜めに配置するようにした。  それぞれのガイド板２０は、下端部を湾曲または折曲させるのが好ましい。【選択図】図１
2005193133.tif 000002
【特許請求の範囲】
【請求項１】
ガスに液を接触させることで当該ガスに含まれる物質を除去するガス処理塔であって、
側方から導入した前記ガスを上方に向けて流す塔本体と、
前記塔本体内にて、上方に向けて流れる前記ガスに前記液を接触させることで当該ガスに含まれる物質を除去する気液接触部と、
前記塔本体内にて側方から導入された前記ガスの流れが上方に方向転換する領域に、間隔を隔てて設置された複数のガイド板と、
を備えることを特徴とするガス処理塔。
【請求項２】
前記気液接触部は、下方から上方に柱状に前記液を噴出することで液柱を発生させ、上方に向けて流れる前記ガスに前記液柱を接触させることで当該ガスに含まれる物質を除去することを特徴とする請求項１に記載のガス処理塔。
【請求項３】
前記塔本体に前記ガスを導入するため当該塔本体の側面に形成された導入口の上端部から、前記導入口に相対向する前記塔本体の側面にて前記導入口の下端部と略同レベルの位置に向けて、複数の前記ガイド板が斜めに配列されていることを特徴とする請求項１または２に記載のガス処理塔。
【請求項４】
前記ガイド板は、下端部が前記ガスの導入方向に向けて湾曲または折曲していることを特徴とする請求項１から３のいずれかに記載のガス処理塔。
【請求項５】
前記ガイド板は、下端部が湾曲した部分の底部に、上下に貫通する孔が形成されていることを特徴とする請求項４に記載のガス処理塔。
【請求項６】
前記ガイド板の下端部が湾曲または折曲した部分の、前記ガスの導入方向に対する突出寸法が、当該ガイド板の高さの３％以下であることを特徴とする請求項４または５に記載のガス処理塔。
【請求項７】
前記ガイド板の下端部が湾曲または折曲した部分の長さが、隣接する他の前記ガイド板との間隔に対し、１０％以下であることを特徴とする請求項４から６のいずれかに記載のガス処理塔。
【発明の詳細な説明】
【技術分野】
【０００１】
本発明は、各種プラントやボイラ等に備えられるガス処理塔に関する。
【背景技術】
【０００２】
各種プラントやボイラの排ガス中に含まれる硫黄酸化物（ＳＯ2）を除去するための排煙脱硫技術には、乾式法と湿式法とがある。
乾式法は、石灰石の粉末をボイラ炉内に噴霧し、炉内の高温ガス化によるカルシネーション反応で生じる生石灰とＳＯ2を反応させ、亜硫酸カルシウム又は石膏として脱硫する方法である。また、消石灰等の吸収剤をエアヒータ下流の煙道に噴霧することによりガス中のＳＯ2を除去する方法で、脱硫性能を向上させるために、さらに水を噴霧させることもある。
半乾式法は、消石灰又は活性化した吸収剤の水溶液を反応塔（スプレードライヤ）に噴霧し、ガス中のＳＯ2と反応させ、その下流側に設置したバグフィルタ又は電気集塵器により反応生成物（亜硫酸カルシウムと石膏）と石灰石の混合物を除去する方法である。
湿式法は、石灰石、消石灰、水酸化マグネシウム、硫酸アルミニウムなどの中和剤を用いる種々のプロセスが開発され、実用化されている。さてこの中で、脱硫率が高く、安価な石灰石を中和剤として、石膏を副生する湿式石灰・石膏法が広く用いられている。
【０００３】
このような湿式法を用いた脱硫装置としては、例えば、硫黄酸化物の吸収液を上方に向けて柱状に吐出し、排ガス（未処理ガス）と気液接触させる、液柱式のガス処理塔がある（例えば、特許文献１、２参照。）。
図６に示すように、このような液柱式のガス処理塔１では、貯溜液を、ポンプ２でくみ上げ、ノズルヘッダー３に多数設置したノズル４から上方に向けて吐出し、柱状の液柱Ｃを形成する。そして、下部側方に形成された導入口５から未処理ガスを導入し、これが上方の排出口６に向けて流れる間に、液柱Ｃに気液接触させることで、未処理ガス中に含まれる硫黄酸化物を除去するようになっている。
【０００４】
【特許文献１】特開平９−２２５２５６号公報
【特許文献２】特開２００２−１１９８２７号公報
【発明の開示】
【発明が解決しようとする課題】
【０００５】
ところで、脱硫反応は、〔数１〕に示すように、ボイラ排ガス中に含まれる二酸化イオウを炭酸カルシウムにて吸収して石膏にするものである。排ガス中の亜硫酸ガスは、液中に亜硫酸として吸収され、亜硫酸イオンとなり、さらに酸素により酸化され硫酸イオンとなる。硫酸イオンは、液部に含まれる石灰石と中和反応し、石膏として晶析する。
【０００６】
【数１】
2005193133.tif 000003
【０００７】
液とガスが接触する吸収反応は、液柱塔のガスと液が向流で流れる場合でも、スプレー塔のような場合でも次の〔数２〕のように表される。
ここで、入口のＳＯ2分圧をＰSO2in（Ｐａ）として、高さＺ間に変化して出ていく出口のＳＯ2分圧をＰSO2out（Ｐａ）と表す。また、Ｐ*SO2は亜硫酸ガスの気相での平衡分圧（Ｐａ）である。さらに記号を以下に示す。
Ｋg：気相基準の総括物質移動係数(mol・m-2・s-1・Pa-1)
ａ：装置単位容積当たりの気液有効界面積(m2/m3)
Ｐ：全圧(Pa)
ＧM：ガスの空塔モル速度(mol・m-2・s-1)
【０００８】
【数２】
2005193133.tif 000004
【０００９】
脱硫率ηは、次の〔数３〕のように表される。
【００１０】
【数３】
2005193133.tif 000005
【００１１】
〔数３〕において、Ｐ*SO2は、ＰSO2の値に対して十分に小さいので、〔数３〕は〔数４〕のようになる。
【００１２】
【数４】
2005193133.tif 000006
【００１３】
すなわち、気相基準の総括物質移動係数Ｋgや全圧Ｐを一定とした場合、ガス偏流により局部的にガス流速が大きくなってＧMが大きくなったり、液量が少ない領域で気液有効界面積ａが小さくなったりすると、局部的に脱硫率が悪くなり、全体としての脱硫性能が悪くなるのである。
【００１４】
図７は、図６に示したガス処理塔１を模式的に示したものである。この図７において、符号（Ｓ）で示すものは、ガス流速の分布である。この図７に示すように、ガス処理塔１では、導入口５から導入した未処理ガスは、横方向から縦方向（上向き）へと流れの向きが変わる際に、ガス偏流を生じ、外周側に局部的に流速の高い部分Ａが発生する。すると、この部分Ａでは、前述の〔数４〕において、ＧMが大きくなり、脱硫性能が悪くなる。また、この部分Ａのガス偏流により、ノズルヘッダー３の下方の領域Ｂにおいて液が落下しにくくなり、前述の〔数４〕において気液有効界面積（接触面積）ａが減少し、局部的に脱硫性能が低下する。
【００１５】
このようにして、導入口５から導入した未処理ガスが上方に向きを変える部分で生じるガス偏流により、局部的に脱硫率が悪くなり、ガス処理塔１全体としての脱硫性能が悪くなるという問題がある。
ガス処理塔１において、未処理ガスの処理効率（単位時間あたりの処理量）を向上させるには、装置を大型化するか、未処理ガスの流速を上げる必要があるが、設備の大型化が望ましくないのは言うまでもない。そこで、未処理ガスの流速を現状以上に上げることを検討すると、上記したようにガス偏流による問題はさらに顕著になり、硫黄酸化物を除去し切れずに未処理ガスがそのまま吹き抜け、脱硫性能が大幅に低下してしまう、という可能性すらある。
本発明は、このような技術的課題に基づいてなされたもので、ガス偏流を抑制し、安定した脱硫性能を得ることのできるガス処理塔を提供することを目的とする。
【課題を解決するための手段】
【００１６】
かかる目的のもと、本発明のガス処理塔は、ガスに液を接触させることでガスに含まれる物質を除去するガス処理塔であって、側方から導入したガスを上方に向けて流す塔本体と、塔本体内にて、上方に向けて流れるガスに液を接触させることでガスに含まれる物質を除去する気液接触部と、塔本体内にて側方から導入されたガスの流れが上方に方向転換する領域に、間隔を隔てて設置された複数のガイド板と、を備えることを特徴とする。
気液接触部は、いかなる形式であってもよいが、下方から上方に柱状に液を噴出することで液柱を発生させ、上方に向けて流れるガスを液柱に接触させることでガスに含まれる物質を除去する、いわゆる液柱式とすることができる。
【００１７】
このように、塔本体内にて側方から導入されたガスの流れが上方に方向転換する領域に複数のガイド板を設けることで、ガス偏流が生じるのを抑制できる。
このとき、塔本体にガスを導入するため塔本体の側面に形成された導入口の上端部から、導入口に相対向する塔本体の側面にて導入口の下端部と略同レベルの位置に向けて、複数のガイド板を斜めに配列するのが好ましい。これにより、導入口側から見れば、複数のガイド板全ての下端部が見えるような配置となる。その結果、側方の導入口から横方向に導入されたガスは、各ガイド板に平均して当たり、それぞれのガイド板によってその流れの向きが変えられるので、ガス偏流抑止効果が高い。
ガイド板は、下端部をガスの導入方向に向けて湾曲または折曲させるのが好ましい。また、ガイド板を湾曲させる場合、ガスの導入方向側の端部は、導入方向より上方に向くまで突出させて湾曲させるのが好ましい。その場合、湾曲した部分の底部に、上下に貫通する孔を形成し、液がガイド板上に溜まらないようにするのが良い。ガイド板の下端部が湾曲または折曲した部分の、ガスの導入方向に対する突出寸法は、ガイド板の高さの３％以下とするのが好ましい。さらに、ガイド板の下端部が湾曲または折曲した部分の長さは、隣接する他のガイド板との間隔に対し、１０％以下とするのが好ましい。
【発明の効果】
【００１８】
本発明によれば、ガス偏流を抑制して局部的に脱硫率が悪くなるのを防ぎ、全体として安定して脱硫性能を向上させることができる。その結果、ガス流速を上げてガス処理塔の処理能力を高めることが可能となる。
【発明を実施するための最良の形態】
【００１９】
以下、添付図面に示す実施の形態に基づいてこの発明を詳細に説明する。
［第一の実施の形態］
図１は、本実施の形態におけるガス処理塔１０の構成を説明するための図である。
この図１に示すように、ガス処理塔１０は、塔本体１１が例えば断面視矩形の筒状で、その底部は底板１２によって閉塞され、上部には開口部１３が形成されている。また、塔本体１１の下部側面には、未処理ガスを塔本体１１内に導入するための導入口１４が開口して形成されている。
塔本体１１内には、複数のノズル１５を備えたノズルヘッダー１６が設けられている。ノズルヘッダー１６には、塔本体１１の底部に貯留された液がポンプ１７で吸い上げられて供給されるようになっている。ノズル１５は、この液を上方に向けて柱状に噴き上げるものであり、これら複数のノズル１５は、互いに隣接するノズル１５から噴き上げられる液柱Ｃに隙間が生じないように、適宜設定された間隔で配置されている。
【００２０】
上記構成を有したガス処理塔１０においては、ノズル１５から噴き上げられた液は、液柱Ｃを形成し、下方に落下する。
一方、導入口１４から略水平方向に導入された未処理ガスは、ガス処理塔１０内で向きを変え、上方に向けて流れる。そして、ノズル１５から上方に噴き上げられた液柱Ｃに接触することで、未処理ガス中の硫黄酸化物が液に吸収され、上部の開口部１３から排出される。つまり、液柱Ｃと未処理ガスが接触する領域が気液接触部として機能することになる。
【００２１】
さて、このようなガス処理塔１０には、導入口１４の近傍に、複数枚のガイド板２０が備えられている。
図２に示すように、これらガイド板２０は、導入口１４の上端の位置Ｅ１と、導入口１４の下端１４ａから水平に伸ばした仮想線Ｖ１が塔本体１１の反対側の側壁に当たる位置（導入口１４の下端１４ａと略同レベルの位置）Ｅ２を結ぶ仮想線Ｖ２に沿って、所定の間隔毎に設置されている。
【００２２】
各ガイド板２０は、平板状として略鉛直面内に位置するようにしてもよいが、導入口１４から導入される未処理ガスの流れを速やかに上方に向けるため、例えば図１に示すように湾曲面状の断面を有したものとしてもよいし、他の形状としてもよい。
図３に、ガイド板２０の形状の具体例を示す。
図３に示すガイド板２０（以下、他の形状との差別化を図るため、ガイド板２０Ａと称することがある）は、下端部に略一定の曲率半径Ｒで湾曲した爪部（湾曲または折曲した部分）２１と、爪部２１に連続して上方に延びる平板部２２とを有している。平板部２２は、その上端部２２ａが、湾曲した爪部２１の湾曲中心の略鉛直上方に位置するよう、爪部２１から斜め上方に向けて延びている。また爪部２１は、ガスの導入方向側に位置する先端部２１ａが、導入方向（導入口１４から横方向に導入されるガスの流れの方向）より上方に向くまで突出させて湾曲させるのが好ましい。これにより、爪部２１の先端部２１ａは、平板部２２の上端部２２ａの鉛直下方位置からも突出したことになる。このような爪部２１を有することによって、下方に向かう流れを掴み、流れの向きを強制的に上方に変えることができる。
【００２３】
これにより、導入口１４から導入される未処理ガスにガス偏流が生じるのを抑制することができ、局部的に脱硫率が悪くなるのを防ぎ、全体として脱硫性能を向上させることができる。その結果、ガス流速を上げてガス処理塔１０の処理能力を高めることが可能となる。
【００２４】
ここで、ガイド板２０Ａの間隔Ｐpitchをはじめとして、各部の寸法例を示す。
まず、上記ガス処理塔１０において、ガス系単相流で基礎試験を行った結果、ガス偏流を小さくするには、ガイド板２０Ａの間隔Ｐpitchを、高さＬに対し、Ｐpitch／Ｌ＝１．５程度となるようにするのが最適であった。すなわち、ガイド板２０Ａの間隔Ｐpitchは、高さＬに対し、
Ｐpitch／Ｌ＝１．５
程度となるようにするのが好ましい。
ここで、塔本体１１の、導入口１４側から見たときの奥行きの寸法Ｗを８１００ｍｍ、導入口１４の上下方向の寸法Ｄを５１００ｍｍとしたとき、寸法Ｗと寸法Ｄの比ｍ（ｍ＝Ｗ／Ｄ）は１．５９となる。この場合において、各ガイド板２０Ａの高さＬと寸法Ｗの比ｎ（ｎ＝Ｌ／Ｗ）を０．００７３４とすると、ガイド板２０Ａの高さＬは５９５ｍｍとなる。すると、この場合に最適なガイド板２０Ａの間隔Ｐpitchは、高さＬに対し、
Ｐpitch＝１．５×Ｌ＝８９１ｍｍ
となる。
【００２５】
先端部に爪部２１を有したガイド板２０Ａの場合、爪部２１の湾曲形状の中心（あるいは平板部２２の上端部２２ａの鉛直下方位置）に対する爪部２１の先端部２１ａの突出寸法ｄは、ガイド板２０Ａの高さＬに対し３％程度とするのが好ましい。
上記のように、ガイド板２０Ａの高さＬを５９５ｍｍとする場合、
ｄ＝Ｌ×０．０３＝１８ｍｍ
となる。
【００２６】
また、このような爪部２１を有するガイド板２０Ａをガス処理塔１０に設ける場合、鉛直下方から見たときにガイド板２０Ａが占める占積率（ガイド板２０Ａによって閉鎖される面積の割合）Ｇは、１０％程度以下とするのが好ましい。
最適なガイド板２０Ａの水平方向の間隔Ｐvは、
Ｐv＝Ｐpitch×｛Ｗ／（Ｗ2＋Ｄ2）1/2｝＝７５４ｍｍ
である。
ガイド板２０Ａを鉛直下方から見たときの幅寸法Ｈ（つまりガイド板２０Ａの爪部２１の長さ）は、爪部２１の曲率半径Ｒ＋突出寸法ｄである（Ｈ＝Ｒ＋ｄ）ため、
Ｇ＝（Ｒ＋ｄ）／Ｐv≦０．１
とするには、
Ｒ≦０．１×Ｐv−ｄ＝５７．４ｍｍ
である。
爪部２１における流れを円滑にするには、曲率半径Ｒはできるだけ大きいのが好ましいため、上記条件では、Ｒ＝５７ｍｍとするのが好ましい。
【００２７】
ガイド板２０Ａの枚数Ｊは、仮想線Ｖ２の長さ（（Ｗ2＋Ｄ2）1/2）とガイド板２０Ａの間隔Ｐpitchとから求めることができる。すなわち、
Ｊ≦｛（Ｗ2＋Ｄ2）1/2｝／Ｐpitch＝１０．７４
であるので、ガイド板２０Ａの枚数Ｊを１０枚とする。
その場合、両端のガイド板２０Ａと、塔本体１１との隙間の寸法Ｌedgeは、
Ｌedge＝［｛（Ｗ2＋Ｄ2）1/2｝−Ｊ×Ｐpitch］／２＝３３１ｍｍ
となる。
【００２８】
〈実施例１〉
上記したようなガス処理塔１０において、ガイド板２０Ａの効果を確認するための実験を行ったのでその結果をここに示す。
塔本体１１において、ガイド板２０Ａを上記したような寸法例で設置した場合（以下、実施条件と称す）と、ガイド板２０Ａを設置しなかった場合（以下、比較条件と称す）とで比較を行なった。
実施条件、比較条件それぞれにおいて、当初空塔速度（充填塔や段塔などの装置内を流体が流れているとき、これらの装置を挿入物や内容物のない空塔とみなして算出した流体のみかけの装置内平均流速）を４．４ｍ／ｓとしたときと、４．８ｍ／ｓにしたときとで、それぞれ開口部１３における出口ＳＯ2濃度を計測した。
その結果、比較条件のケースでは、当初空塔速度が４．４ｍ／ｓのときに出口ＳＯ2濃度が１ｐｐｍであったものが、当初空塔速度を４．８ｍ／ｓに上げると出口ＳＯ2濃度は１０ｐｐｍに上昇した。
これに対し、ガイド板２０Ａを備えた実施条件のケースでは、当初空塔速度が４．４ｍ／ｓのときに１ｐｐｍであった出口ＳＯ2濃度は、当初空塔速度を４．８ｍ／ｓに上げても１ｐｐｍのままであった。
これにより、ガイド板２０Ａを設けることで、ＳＯ2の吹き抜けが抑止されており、つまり、ガス偏流が抑制され、全体として脱硫性能が向上しているのが明らかである。
【００２９】
なお、ガイド板２０の構成は、図３に示したガイド板２０Ａに限るものでは無い。
例えば、図４に示すように、ガイド板２０Ｂの先端部に、ガイド板２０Ａと同様に形成された爪部２１に液排出孔３１を形成してもよい。
爪部２１は、先端部２１ａが突出しているため、底部に液が溜まりやすい。そこで、この底部に液排出孔３１を形成することで、液を速やかに排除することができる。
例えば、上記に示したような寸法例の場合、直径ＨＤ＝２５ｍｍの液排出孔３１を、ピッチＨpitch＝１００ｍｍで形成することができる。
【００３０】
また、図５（ａ）に示すように、先端部が略Ｌ字状に屈曲した屈曲部（湾曲または折曲した部分）４１を有するガイド板２０Ｃを用いることもできる。
図５（ｂ）に示すように、このガイド板２０Ｃの場合も、図３に示したガイド板２０Ａと同様、ガス偏流を小さくするには、ガイド板２０Ｃの間隔Ｐpitchを、高さＬに対し、
Ｐpitch／Ｌ＝１．５
程度となるようにするのが好ましい。
塔本体１１が、上記の例と同様、寸法Ｗが８１００ｍｍ、寸法Ｄが５１００ｍｍであり、ガイド板２０Ｃの高さＬと寸法Ｗの比ｎ（ｎ＝Ｌ／Ｗ）を０．００７３４とすると、ガイド板２０Ｃの高さＬは５９５ｍｍとなる。
そして、最適なガイド板２０Ｃの間隔Ｐpitchは、高さＬに対し、
Ｐpitch＝１．５×Ｌ＝８９１ｍｍ
となる。
【００３１】
また、屈曲部４１の長さＫは、ガイド板２０Ｃの高さＬの１０％程度とするのが好ましい。
上記寸法例では、
Ｋ＝Ｌ×０．１＝５９．５ｍｍ
となるため、長さＫは、例えば６０ｍｍとすることができる。
【００３２】
〈実施例２〉
このようなガイド板２０Ｃの効果を確認するための実験を行ったのでその結果をここに示す。
塔本体１１において、ガイド板２０Ｃを上記したような寸法例で設置した場合（実施条件）と、ガイド板２０Ｃを設置しなかった場合（比較条件）とで比較を行なった。
実施条件、比較条件それぞれにおいて、当初空塔速度（充填塔や段塔などの装置内を流体が流れているとき、これらの装置を挿入物や内容物のない空塔とみなして算出した流体のみかけの装置内平均流速）を４．４ｍ／ｓとしたときと、４．８ｍ／ｓにしたときとで、それぞれ開口部１３における出口ＳＯ2濃度を計測した。
その結果、比較条件のケースでは、当初空塔速度が４．４ｍ／ｓのときに出口ＳＯ2濃度が１ｐｐｍであったものが、当初空塔速度を４．８ｍ／ｓに上げると出口ＳＯ2濃度は１０ｐｐｍに上昇した。
これに対し、ガイド板２０Ｃを備えた実施条件のケースでは、当初空塔速度が４．４ｍ／ｓのときに１ｐｐｍであった出口ＳＯ2濃度は、当初空塔速度を４．８ｍ／ｓに上げても１ｐｐｍのままであった。
これにより、ガイド板２０Ｃを設けることで、ガイド板２０Ａの場合と同等にＳＯ2の吹き抜けが抑止されている。つまり、ガイド板２０Ｃによりガス偏流が抑制され、全体として脱硫性能が向上しているのが明らかである。
【００３３】
なお、上記実施の形態において、ノズルヘッダー１６は複数、つまり上下に多段に設けてもよい。
これ以外にも、脱硫性能の向上・安定化を図るために、他の技術を組み合わせるのは好ましいことである。
また、ガス処理塔１０は、液柱式に限らず、スプレー式のいわゆるスプレー塔であってもよい。
この他、本発明の主旨を逸脱しない限り、上記実施の形態で挙げた構成を取捨選択したり、他の構成に適宜変更することが可能である。
【図面の簡単な説明】
【００３４】
【図１】本実施の形態におけるガス処理塔の構成を示す図である。
【図２】ガイド板の配置を示す図である。
【図３】ガイド板の具体的な形状例を示す図である。
【図４】ガイド板の他の形状例を示す図である。
【図５】ガイド板のさらに他の形状例を示す図である。
【図６】従来のガス処理塔の構成を示す図である。
【図７】従来のガス処理塔におけるガス偏流の発生状況を示す図である。
【符号の説明】
【００３５】
１０…ガス処理塔、１１…塔本体、１４…導入口、１６…ノズルヘッダー、２０、２０Ａ、２０Ｂ、２０Ｃ…ガイド板、２１…爪部（湾曲または折曲した部分）、２２…平板部、３１…液排出孔、４１…屈曲部（湾曲または折曲した部分）、Ｃ…液柱、ｄ…突出寸法、Ｈ…幅寸法（湾曲または折曲した部分の長さ）、Ｐpitch…間隔、Ｒ…曲率半径
【図１】
2005193133.tif 000007
【図２】
2005193133.tif 000008
【図３】
2005193133.tif 000009
【図４】
2005193133.tif 000010
【図５】
2005193133.tif 000011
【図６】
2005193133.tif 000012
【図７】
2005193133.tif 000013